(57)【要約】【課題】電流センサの固定に関し、従来よりもより良くすることが可能な電流センサの固定構造、プロテクタ、及び電流センサの固定方法を提供する。【解決手段】第１の電線１の中間所定位置にプロテクタ３を設け、第１の電線１を電線収容部１４に収容した後に、プロテクタ３のコルゲートチューブ係合部１８にコルゲートチューブ５を係合する。そして、この後にプロテクタ３の電流センサ固定部８に電流センサ４を固定する。電流センサ４には、予め第２の電線２が挿通されており、この第２の電線２をプロテクタ３の外側の電線保持部２１に沿わせつつ第２の電線２をテープ巻き１９にて保持する。【選択図】図１
2011075367.tif 000002
【特許請求の範囲】
【請求項１】
内側に第１の電線を収容するプロテクタに対し、該プロテクタの外側に電流センサ固定部及び電線保持部を設け、前記電流センサ固定部に第２の電線を測定対象とする電流センサを固定するとともに、前記電線保持部に前記第２の電線を沿わせつつ保持する
ことを特徴とする電流センサの固定構造。
【請求項２】
内側に電線を収容する電線収容部を有し、外側に固定対象に対して固定される被固定部を有するプロテクタにおいて、
前記電線収容部に収容される前記電線を第１の電線とすると、該第１の電線とは別の第２の電線を沿わせた状態で保持可能な形状となる電線保持部を前記外側に設け、さらに前記第２の電線を測定対象とする電流センサを固定するための電流センサ固定部を前記外側に設けてなる
ことを特徴とするプロテクタ。
【請求項３】
請求項２に記載のプロテクタにおいて、
前記電流センサに形成されるセンサ側被固定部及び前記電流センサ固定部のいずれか一方に凸状の係止突起を形成するとともに、いずれか他方に凹状の係止部を形成し、前記電流センサ固定部に対する前記センサ側被固定部の挿入により前記係止突起及び前記係止部の係止状態を形成する
ことを特徴とするプロテクタ。
【請求項４】
請求項２又は請求項３に記載のプロテクタにおいて、
前記被固定部の近傍に前記電流センサ固定部を配置する
ことを特徴とするプロテクタ。
【請求項５】
内側に第１の電線を収容するプロテクタを前記第１の電線の中間位置に設ける第１工程と、
第２の電線を測定対象とする電流センサを前記プロテクタの外側に固定する第２工程と、
前記第２の電線を前記プロテクタの前記外側に沿わせつつ保持する第３工程と、
を含む
ことを特徴とする電流センサの固定方法。
【発明の詳細な説明】
【技術分野】
【０００１】
本発明は、電流センサの固定に係る構造と、電流センサの固定対象になるプロテクタと、電流センサの固定に係る方法とに関する。
【背景技術】
【０００２】
下記特許文献１には、車両における電流センサの組み付け構造に係る技術が開示されている。簡単に説明すると、電流検出対象部であるケーブル端子にアタッチメントが組み付けられ、このアタッチメントを介して電流センサが組み付けられている。アタッチメントの外面及び電流センサの孔内には、それぞれ係止手段が設けられている。これら係止手段の引っ掛かり合いによって係止状態が形成されている。ケーブル端子は、バッテリーのバッテリーポストに接続されるバッテリーターミナルにボルト締めによって組み付けられている。下記特許文献１に開示された電流センサの組み付け構造は、電流センサの組み付け作業性を向上させるためとして提案されている。
【先行技術文献】
【特許文献】
【０００３】
【特許文献１】特開２００４−２１９３０１号公報
【発明の概要】
【発明が解決しようとする課題】
【０００４】
ところで、上記従来技術にあっては、ケーブル端子にアタッチメントを組み付けて電流センサを所定位置に固定する構造であることから、ケーブル端子に電流センサの重量が加わってしまうことになる。このためケーブル端子は、上記重量が加わった状態で車両の振動等に耐え得るだけの強度を少なくとも確保しなければならないという問題点を有している。
【０００５】
また、上記従来技術にあっては、アタッチメントや電流センサの組み付けをするために、ケーブル端子の長さを比較的長く設定しなければならないことから、ケーブル端子が専用の端子、言い換えればコスト高の端子になってしまうという問題点を有している。
【０００６】
上記の問題点は、電流センサの固定対象がケーブル端子であるために生じている。
【０００７】
本発明は、上記した事情に鑑みてなされたもので、電流センサの固定に関し、従来よりもより良くすることが可能な電流センサの固定構造、プロテクタ、及び電流センサの固定方法を提供することを課題とする。
【課題を解決するための手段】
【０００８】
上記課題を解決するためになされた請求項１記載の本発明の電流センサの固定構造は、内側に第１の電線を収容するプロテクタに対し、該プロテクタの外側に電流センサ固定部及び電線保持部を設け、前記電流センサ固定部に第２の電線を測定対象とする電流センサを固定するとともに、前記電線保持部に前記第２の電線を沿わせつつ保持することを特徴とする。
【０００９】
このような特徴を有する本発明によれば、電線（第１の電線）を保護するためのプロテクタに電流センサが固定される。プロテクタには、電流センサの測定対象となる電線（第２の電線）も保持される。第１の電線と第２の電線は、プロテクタの内外で分けられる。すなわち、プロテクタの内側をプラスの電線、プロテクタの外側をマイナスの電線というように（この逆も可能）分けることが可能になる。第１の電線と第２の電線は、これらの配索位置がプロテクタの内外というように規制される。
【００１０】
上記課題を解決するためになされた請求項２記載の本発明のプロテクタは、内側に電線を収容する電線収容部を有し、外側に固定対象に対して固定される被固定部を有するプロテクタにおいて、前記電線収容部に収容される前記電線を第１の電線とすると、該第１の電線とは別の第２の電線を沿わせた状態で保持可能な形状となる電線保持部を前記外側に設け、さらに前記第２の電線を測定対象とする電流センサを固定するための電流センサ固定部を前記外側に設けてなることを特徴とする。
【００１１】
このような特徴を有する本発明によれば、第１の電線を収容して保護するための機能、第２の電線を保持するための機能、第２の電線を測定対象とする電流センサを固定するための機能、及び、第１の電線と第２の電線とを内外で分ける機能、を有するプロテクタとして提供される。
【００１２】
請求項３記載の本発明のプロテクタは、請求項２に記載のプロテクタにおいて、前記電流センサに形成されるセンサ側被固定部及び前記電流センサ固定部のいずれか一方に凸状の係止突起を形成するとともに、いずれか他方に凹状の係止部を形成し、前記電流センサ固定部に対する前記センサ側被固定部の挿入により前記係止突起及び前記係止部の係止状態を形成することを特徴とする。
【００１３】
このような特徴を有する本発明によれば、プロテクタの電流センサ固定部に対し電流センサのセンサ側被固定部を挿入すると、係止突起及び係止部の引っ掛かり合いによる係止状態が形成されて、電流センサはプロテクタに対し固定される。尚、係止状態を解除すれば電流センサの取り外しが可能になる。本発明によれば、電流センサの固定及び取り外しは容易である。
【００１４】
請求項４記載の本発明のプロテクタは、請求項２又は請求項３に記載のプロテクタにおいて、前記被固定部の近傍に前記電流センサ固定部を配置することを特徴とする。
【００１５】
このような特徴を有する本発明によれば、プロテクタを固定する位置の近傍に電流センサが固定される。電流センサは、被固定部と電流センサ固定部との配置が近いことから、プロテクタの固定対象に対して恰も固定されるような状態になる。電流センサは、安定した状態に固定される。
【００１６】
上記課題を解決するためになされた請求項５記載の本発明の電流センサの固定方法は、内側に第１の電線を収容するプロテクタを前記第１の電線の中間位置に設ける第１工程と、第２の電線を測定対象とする電流センサを前記プロテクタの外側に固定する第２工程と、前記第２の電線を前記プロテクタの前記外側に沿わせつつ保持する第３工程と、を含むことを特徴とする。
【００１７】
このような特徴を有する本発明によれば、第１の電線にプロテクタを設けた後に、このプロテクタに対して電流センサを固定し、そして、同じくプロテクタに対して第２の電線を保持することにより電流センサに係る固定が完了する。
【発明の効果】
【００１８】
請求項１に記載された本発明によれば、従来よりもより良い電流センサの固定構造を提供することができるという効果を奏する。
【００１９】
請求項２に記載された本発明によれば、電流センサの固定に関し、従来よりもより良いプロテクタを提供することができるという効果を奏する。
【００２０】
請求項３に記載された本発明によれば、プロテクタに関し、電流センサの着脱を簡単にすることができるという効果を奏する。
【００２１】
請求項４に記載された本発明によれば、プロテクタに関し、電流センサの固定状態を安定させることができるという効果を奏する。
【００２２】
請求項５に記載された本発明によれば、従来よりもより良い電流センサの固定方法を提供することができるという効果を奏する。
【図面の簡単な説明】
【００２３】
【図１】本発明の電流センサの固定構造を示す斜視図である。
【図２】本発明のプロテクタの斜視図（アッパーカバー開時）である。
【図３】本発明のプロテクタの斜視図（アッパーカバー閉時）である。
【図４】本発明のプロテクタに電流センサを固定した状態の斜視図（第２の電線省略）である。
【図５】本発明の電流センサの固定構造を示す断面図である。
【発明を実施するための形態】
【００２４】
以下、図面を参照しながら本発明の一実施形態を説明する。図１ないし図５は本発明の電流センサの固定構造、プロテクタ、及び電流センサの固定方法に係る図である。
【００２５】
図１において、引用符号１は第１の電線、引用符号２は第２の電線をそれぞれ示している。第１の電線１及び第２の電線２は、特に限定するものでないが、自動車等の車両に配索される電線であって、第１の電線１はプラスの電線、第２の電線２はマイナスの電線となっている（プラス・マイナスが逆でも可能）。第１の電線１は、この長手方向中間の所定位置において絶縁性を有する合成樹脂製のプロテクタ３によって保護されている。プロテクタ３は、この内側に第１の電線１を収容するようになっている。一方、第２の電線２は、電流センサ４の測定対象（電流検出対象）であって、電流センサ４に挿通されている。電流センサ４は、プロテクタ３の外側に固定されている。電流センサ４に挿通された第２の電線２は、この挿通部分の前後においてプロテクタ３の外側に保持されている。引用符号５はプロテクタ３に係合するコルゲートチューブを示している。
【００２６】
図１ないし図３において、プロテクタ３は、第１の電線１を収容するためのプロテクタ本体６と、車両のボディやパネル等に設けられるブラケット５０等（固定対象）に固定される被固定部７と、電流センサ４を固定するための電流センサ固定部８とを一体に有して、例えば図示のような形状に形成されている。プロテクタ３は、後述するが、第１の電線１を収容して保護するための機能、第２の電線２を保持するための機能、第２の電線２を測定対象（電流検出対象）とする電流センサ４を固定するための機能、及び、第１の電線１と第２の電線２とをプロテクタ３の内外で分ける機能、を有している。
【００２７】
図２及び図３において、プロテクタ本体６は、連続するアンダーカバー９と、このアンダーカバー９に対しヒンジ１１を介して開閉自在となる第１アッパーカバー１２と、アンダーカバー９に対しヒンジ１３を介して開閉自在となる第２アッパーカバー１０とを有している。プロテクタ本体６は、第１アッパーカバー１２及び第２アッパーカバー１０で覆った時に筒状となる分割形状に形成されている。プロテクタ本体６の内側は、第１の電線１を収容するための電線収容部１４として形成されている。プロテクタ本体６は、所望の配索経路を有するように形成されている（図中の配索経路は一例であるものとする）。
【００２８】
アンダーカバー９と、第１アッパーカバー１２及び第２アッパーカバー１０の外側で複数の所定位置には、ズレ防止用のリブ１６が形成されている。プロテクタ本体６は、アンダーカバー９を第１アッパーカバー１２及び第２アッパーカバー１０で覆った時にリブ当接部１７がリブ１６に当接し、これによりズレが防止されて筒状となるように形成されている。アンダーカバー９と、第１アッパーカバー１２及び第２アッパーカバー１０には、コルゲートチューブ係合部１８が形成されている。コルゲートチューブ係合部１８は、第１の電線１が引き出されるプロテクタ本体６の端部位置外側に配置形成されている。筒状になった状態のコルゲートチューブ係合部１８には、コルゲートチューブ５が係合するようになっている。
【００２９】
コルゲートチューブ係合部１８の近傍には、第２の電線２をテープ巻き１９にて保持する際に用いられる突起２０が突出形成されている（図３参照）。突起２０を含むプロテクタ本体６の外側は、第２の電線２を沿わせた状態で保持可能な形状となる電線保持部２１として形成されている。
【００３０】
第１アッパーカバー１２における引用符号２２の切り欠きは、被固定部７に対する逃がし部分として形成されている。
【００３１】
被固定部７は、上記の如くブラケット５０等（固定対象）に固定される部分として形成されている。被固定部７には、公知の係止構造２３が形成されている。プロテクタ本体６に対する被固定部７の配置は一例であるものとする。被固定部７は、剛性が高く破損し難い形状に形成されている。
【００３２】
電流センサ固定部８は、アンダーカバー９の側部に連続するように形成されている。電流センサ固定部８は、上記の如く電流センサ４を固定するための部分であって、略爪状の係止突起２４を含む係止部分２５と、電流センサ８の一部（図示省略）をガイドして支持する一対のセンサ挿入支持部分２６とを有している。電流センサ固定部８は、被固定部７と同様に剛性が高く破損し難い形状に形成されている。電流センサ固定部８は、電流センサ４との固定状態を安定させるために、被固定部７の近傍に配置形成されている（被固定部７から十分に離して配置する場合には、アンダーカバー９や第２アッパーカバー１０自体の剛性を高めるように形成することが好ましいものとする）。
【００３３】
図１、図４、及び図５において、電流センサ４は、所定の形状に形成されるケース２７を有している。このケース２７の内部には、図示しないコア及びホール素子が備えられている。電流センサ４は、第２の電線２に流れる電流の強弱に応じた磁束が上記コアに発生すると、この発生した磁束が上記ホール素子により検知されるようになっている。引用符号２８は検知した結果を出力するためのセンサケーブル（図示省略）に対する接続部（コネクタ）を示している。センサケーブルは、図示しない回路に接続されるようになっている。
【００３４】
図５において、ケース２７には、第２の電線２が挿通される貫通孔２９が形成されている。また、この貫通孔２９の部分には、第２の電線２が載置されるケーブル載置部分３０が形成されている。ケーブル載置部分３０には、この一部が舌片状にのびるようなセンサ側被固定部３１が形成されている。センサ側被固定部３１は、電流センサ固定部８の係止部分２５に挿入される部分であって、凸状の係止突起２４に係止される部分としての凹状の係止部３２を有している。係止部３２は、センサ側被固定部３１を貫通するように形成されている。ケース２７には、電流センサ固定部８の一対のセンサ挿入支持部分２５に挿入ガイドされる部分（図示省略）が形成されている。
【００３５】
上記構成及び構造において、第１の電線１の中間所定位置にプロテクタ３を設け、第１の電線１を電線収容部１４に収容した後に、プロテクタ３のコルゲートチューブ係合部１８にコルゲートチューブ５を係合する。そして、この後にプロテクタ３の電流センサ固定部８に電流センサ４を固定する。電流センサ４には、予め第２の電線２が挿通されており、この第２の電線２をプロテクタ３の外側の電線保持部２１に沿わせつつ第２の電線２をテープ巻き１９にて保持する（テープ巻き１９は突起２０がある場合、この突起２０に引っ掛けつつ行うものとする）。以上により電流センサ４に係る固定が完了する。
【００３６】
本発明は、電流センサ４の固定に関し、従来よりもより良いことが分かる。また、本発明は、第１の電線１を収容保護するプロテクタ３に対して電流センサ４と第２の電線２を固定することができるため、車両への組み付けも簡単に行うことができる。
【００３７】
本発明は本発明の主旨を変えない範囲で種々変更実施可能なことは勿論である。
【符号の説明】
【００３８】
１…第１の電線
２…第２の電線
３…プロテクタ
４…電流センサ
５…コルゲートチューブ
６…プロテクタ本体
７…被固定部
８…電流センサ固定部
９…アンダーカバー
１０…第２アッパーカバー
１１、１３…ヒンジ
１２…第１アッパーカバー
１４…電線収容部
１６…リブ
１７…リブ当接部
１８…コルゲートチューブ係合部
１９…テープ巻き
２０…突起
２１…電線保持部
２２…切り欠き
２３…係止構造
２４…係止突起
２５…係止部分
２６…センサ挿入支持部分
２７…ケース
２８…接続部
２９…貫通孔
３０…ケーブル載置部分
３１…センサ側被固定部
３２…係止部
【図１】
2011075367.tif 000003
【図２】
2011075367.tif 000004
【図３】
2011075367.tif 000005
【図４】
2011075367.tif 000006
【図５】
2011075367.tif 000007